【手続補正書】
【提出日】平成24年5月14日(2012.5.14)
【手続補正１】
【補正対象書類名】明細書
【補正対象項目名】０００４
【補正方法】変更
【補正の内容】
【０００４】
上述の技術手法により、引き出し用載置体が力を受けて引き出され或いは押し込まれて摺動する時、該加力点が引き出し用載置体の中央に無かったとしても、両側歯車及び歯車と噛合する歯溝の制限を受ける状態で、つまり歯車が偏らない状態になって歯溝の上に走行し、引き出し用載置体の摺動方向を確保させることができ、不変に保持できることで偏り現象が発生しない。しかし、引き出し用載置体が引き出され或いは押し込まれる加力に左右の著しいアンバランスが生じた時、特に比較的広い抽斗では、間中から最遠両側の片側から引き出すと、容易に歯車と歯溝の間で外れが起き、従って噛合外れ現象が生じて、引き出し用載置体の著しい一方向への位置ずれ現象が発生してしまうことで、摺動の騒音が起きる以外に、また歯車及び歯溝の間に急速な摩損が与えられ、且つ著しい時、更に両側の歯車が歯溝から外れて、部品の損壊を招いてしまう。
【手続補正２】
【補正対象書類名】明細書
【補正対象項目名】０００６
【補正方法】変更
【補正の内容】
【０００６】
上述の駆動コンポーネントと引き出し用載置体の間において、噛み合い外れ及び騒音現象が発生する恐れを克服するため、本発明では棚と引き出し用載置体の間に装設する保持機構を提供することで、引き出し用載置体の摺動に偏りが生じないだけでなく、更に振動による噛合外れで生じる騒音問題が起きない。
【手続補正３】
【補正対象書類名】明細書
【補正対象項目名】０００７
【補正方法】変更
【補正の内容】
【０００７】
本発明は、その技術問題を解決する技術手段として、棚と引き出し用載置体の間に摺動案内の保持機構を設け、また該保持機構にはそれぞれ棚と引き出し用載置体両側の間に定着して摺動方向に沿い、連続歯部を備える摺動案内レール、及び両端に両側の連続歯部と偏らない状態になって噛合する歯車を備える軸棒からなる回転ガイドとを含み、且つ軸棒両側に連結する軸部が棚或いは引き出し用載置体に定着する支持台座の中に簡単に跨乗でき、また軸部側の歯車脇箇所にストッパー部が形成され、更に連続歯部の軸部に対向する他側に該ストッパー部脇に隣接する制止ユニットを設けた。
【手続補正４】
【補正対象書類名】明細書
【補正対象項目名】０００９
【補正方法】変更
【補正の内容】
【０００９】
本発明の有益な効果とは、引き出し用載置体の摺動方向が位置ずれ現象が起きない以外に、騒音もなく、その騒音が発生する歯車の軸部位置にすでに弾性体を設置することがなくなるため、歯車の軸部を軸棒に嵌挿することで連続歯部に走行する時の歯車の傾斜度を制限し、従って優れた円滑性及び騒音減少の効果を有し、更に制止ユニットが軸部に対して半径方向に移動する可能性のある制限の下、引き出し用載置体が不適切な引張力を受けた状態であっても、噛合する歯車と連続歯部の間に噛合外れ現象が全く発生せず、従って引き出し用載置体の摺動が更に安定、円滑になり、且つ摺動時の振動騒音発生を制止できる。
【手続補正５】
【補正対象書類名】明細書
【補正対象項目名】００１１
【補正方法】変更
【補正の内容】
【００１１】
【図１】本発明の前面図である。
【図２】本発明の局部分解図である。
【図３】本発明の局部拡大分解図である。
【図４】本発明の局部拡大前面図である。
【図５】本発明の実施例２の立体図である。
【図６】本発明の実施例２を示す図である。
【図７】本発明の実施例３を示す図である。
【手続補正６】
【補正対象書類名】明細書
【補正対象項目名】００１２
【補正方法】変更
【補正の内容】
【００１２】
図１、２及び図３、４を参照にしながら説明する。本発明には、棚１に設けられ、棚１内から引き出し或いは押し込むことができる所定数量の引き出し用載置体２（即ち抽斗、ブラケット或いは物品載置板等）を含み、また各引き出し用載置体２の両側と棚１の間にそれぞれ案内装置３を設け、該案内装置３には、引き出し用載置体２に定着する案内部材３１と、対応して棚１に定着する案内溝３２とを含み、また案内部材３１と案内溝３２を相互に嵌合させて伸縮スライドできるようにした。その他、また引き出し用載置体２の下方と棚１の間に保持機構４を設け、該保持機構４には引き出し用載置体２両側にロックする両対向の摺動案内レール４１と、両対向の摺動案内レール４１に沿って同期回転する回転ガイドとを含む。該各側の摺動案内レール４１の下方に連続歯部４２１を有する案内歯４２が嵌装され、且つ案内歯４２の一端底面に定位挿入ピン４２２を凸設し、摺動案内レール４１の対応箇所に定位穴４１０が設けられ、従って案内歯４２を摺動案内レール４１に嵌合した後、その定位挿入ピン４２２を定位穴４１０の中に挿入することにより移動外れが発生さしないようにできる。その他、該回転ガイドには両側連続歯部４２１と相互に噛合する２つの歯車４３を含み、且つ軸棒４４を設け、その両端に該両歯車４３を結合し、即ち、各側の歯車４３が軸部４３２に設けられ、また軸棒４４の両端に歯状結合穴４４１が備えられる。また該各軸部４３２の歯車４３を設けた他端が管状を形成し、管穴内の設けた結合部４３１が挿入できる該結合穴４４１の中に内外嵌設軸棒４４が形成されることで歯車４３の傾斜度を制限し、即ち、両側歯車４３を連結させた後同期に回転させることができる。且つ各軸部４３２の歯車４３に近接する箇所にストッパー部４３３を形成しており、更に引き出し用載置体２先端の下方が対応する棚１の平面箇所に両対向の支持台座４５を固設し、また軸棒４４の両側に連結する軸部４３２を該両支持台座４５に設けられ、上方が開放型になった長方形切欠口４５１の中に簡単に跨乗できるようにさせ、軸部４３２が長方形切欠口４５１の中で上下の移動を行わせることができる。同時にまた連続歯部４２１の軸部４３２に対向する他側に制止ユニットが設ける。該制止ユニットは摺動案内レール４１上の所定箇所の歯車４３頂部に位置し水平面の延伸から垂直面に変更して歯車４３の歯頂部と歯腹に跨って覆うよう形成し、同時に下に向って延設した制止部４１１からなることができ、且つ該制止部４１１の末端と軸部４３２のストッパー部４３３の間に所定の隙間を残すことができる。
【手続補正７】
【補正対象書類名】明細書
【補正対象項目名】００１３
【補正方法】変更
【補正の内容】
【００１３】
これにより、引き出し用載置体２が正常な加力を受けて棚１内から引き出され或いは押し込まれた時、該引き出し用載置体２が案内装置３の案内を受けて摺動すること以外に、更に同時に保持機構４の案内のもと、引き出し用載置体２が両側連続歯部４２１において偏らない状態になることができ、且つ同期回転する両歯車４３と噛合誘導させる作用の下、引き出し用載置体２の移動方向を不変に保持させることができるだけでなく、且つまた偏り現象が発生することなく、引き出し用載置体２の摺動をより一層円滑させることができる。ただし引き出し用載置体２が受ける押し或いは引きの加力点が、引き出し用載置体２の中央から最遠の片側にある時、著しい一方向に偏った走行が発生し、両側歯車４３とその連続歯部４２１との噛合箇所がそれぞれ受ける力はアンバランスな現象が起きることになり、歯車４３と連続歯部４２１の間で噛合外れ現象が発生してしまい、特に比較的広く、且つ非常に重い引き出し用載置体２は、このような著しい問題が起きやすい。しかし歯車４３は引き出し用載置体２の底部或いは摺動案内レール４１頂上部４１２の止めを受けることができるため、噛合外れ現象が起きないと見込まれる。ただし歯車４３を円滑に回転させるため、歯車４３と頂上部４１２の間には比較的大きな隙間を残す必要があり、これにより引き出し用載置体２が比較的著しい加力を受けて偏った時、両側歯車４３が噛合外れ現象を起こそうとするが、頂上部４１２の止めを受けて下げる。同時に引き出し用載置体２が引き続き引っ張られた時歯車４３の連続回転を促し、従って歯車４３歯部の歯頂部が頂上部４１２に断続的に衝突させることで、不快な騒音が発生していた。
【手続補正８】
【補正対象書類名】明細書
【補正対象項目名】００１４
【補正方法】変更
【補正の内容】
【００１４】
これにより、更に一歩進んで歯車４３の振動及び騒音を制止するため、摺動案内レール４１の制止部４１１の末端と軸部４３２のストッパー部４３３の間の隙間が歯車４３の歯頂部と頂上部４１２の間の隙間より遥かに小さくする。これにより引き出し用載置体２が偏りのアンバランスな加力を受けた時、歯車４３と連続歯部４２１の間に噛合外れ現象が起きようとする時、該制止部４１１の末端がストッパー部４３３（或いは軸部４３２）を止め、従って歯車４３の振動を止めて、歯車４３を頂上部４１２に接触させない。且つ該ストッパー部４３３（或いは軸部４３２）が丸形棒体であるため、ストッパー部４３３と制止部４１１の末端は円滑に接触している状態になり、これにより断続的な衝突の騒音が発生することが無く、且つ制止部４１１の垂直面が歯車４３の歯腹露出側に位置し、従って歯車４３と連続歯部４２１の間と噛合に噛合外れ現象が起きることもなく、引き出し用載置体２の摺動もやはり所定の摺動方向を保持することで、安定し円滑に移動でき、従って更に一歩進んで引き出し用載置体２の歪み及び騒音発生を防止できる。
【手続補正９】
【補正対象書類名】明細書
【補正対象項目名】００１５
【補正方法】変更
【補正の内容】
【００１５】
次に、前記保持機構４は、引き出し用載置体２の下方箇所に設置されるが、図５、図６に示すように引き出し用載置体２の上方にも設置でき、且つ引き出し用載置体２の後側に設け、即ち連続歯部４２１を設けた両対向の摺動案内レール４１を棚１の両側に定着させ、回転ガイドの軸棒４４両側に連結する軸部４３２が引き出し用載置体２後側上方に定着した支持台座４５の中に収容され、且つ該両支持台座４５は引き出し用載置体２後側の上方箇所に固設したマウントホルダー２１に定着され、同じように連続歯部４２１の軸部４３２に対向する他側の摺動案内レール４１に下向きに末端がストッパー部４３３に隣接して制止ユニットとする制止部４１１を延設した。若しくは図７に示すように、同じように連続歯部４２１を設けた両対向の摺動案内レール４１が棚１の両側に定着させる。回転ガイドの軸部４３２を収容する両支持台座４５は、引き出し用載置体２の後側中間部に固設したマウントホルダー２１に定着され、同じように連続歯部４２１の軸部４３２に対向する他側の摺動案内レール４１上の歯車４３頂部に隣接し水平面の延伸から垂直面に変更して歯車４３の歯頂部と歯腹に跨って覆うように形成し、更に下向きに末端がストッパー部４３３に隣接して制止ユニットとする制止部４１１を延設している。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】特許請求の範囲
【補正対象項目名】全文
【補正方法】変更
【補正の内容】
【特許請求の範囲】
【請求項１】
ガイドできる摺動案内レールであり、開放側を備える半密封状の前記摺動案内レールの内側に連続歯部が設けられており、前記連続歯部に対応する前記摺動案内レールに頂上部が設けられ、且つ、前記頂面の開放側に位置する側に下へ向かって延伸し、制止部を形成する垂直面が設けられることを特徴とする引き出し用載置体における引き出し安定構造。
【請求項２】
保持機構であって、前記保持機構はその上に連続歯部を設けた摺動案内レールと前記摺動案内レールに回転運動し、前記連続歯部に噛み合い、軸棒の連結により同期に回転する歯車から成る回転ガイドとを備え、前記軸棒に設けられた軸部が対応箇所に設けられた支持台座に跨設させることができ、前記歯車脇にある前記軸部側にストッパー部を形成させ、同時に前記連続歯部の対応側にある前記摺動案内レールの前記歯車頂部のやや上方に頂上部が設けられ、更に前記頂上部の軸部側に近く側から下へ向かって垂直面を延伸し、前記歯車の歯頂部を跨って歯腹に沿って下に向かって前記ストッパー部に隣接する制止部を形成させることを特徴とする引き出し用載置体における引き出し安定構造。
【請求項３】
前記摺動案内レールの制止部の末端と前記ストッパー部の間の隙間は、前記歯車の歯頂部と頂上部の間の隙間を下回ることを特徴とする請求項２に記載の引き出し用載置体における引き出し安定構造。
【手続補正１３】
【補正対象書類名】図面
【補正対象項目名】図５
【補正方法】変更
【補正の内容】
【図５】
2010259782.tif 000001
【手続補正１４】
【補正対象書類名】図面
【補正対象項目名】図６
【補正方法】変更
【補正の内容】
【図６】
2010259782.tif 000002
【手続補正１５】
【補正対象書類名】図面
【補正対象項目名】図７
【補正方法】変更
【補正の内容】
【図７】
2010259782.tif 000003
【手続補正１６】
【補正対象書類名】図面
【補正対象項目名】図８
【補正方法】削除
【補正の内容】
【手続補正１７】
【補正対象書類名】図面
【補正対象項目名】図９
【補正方法】削除
【補正の内容】
【手続補正１８】
【補正対象書類名】図面
【補正対象項目名】図１０
【補正方法】削除
【補正の内容】